(57)【要約】【課題】既設の仕切壁のない簡易な汚水処理槽においても必要な場合に簡易に仕切壁を着脱自在に設置して好気攪拌と嫌気処理とを区別して処理することで高度処理を処理を効率的に行えるようにした汚水処理槽における仕切壁構造を提供すること。【解決手段】矩形の汚水処理槽１内に着脱可能にして吊垂支持する着脱式仕切壁２を、汚水処理槽１の頂面に引っ掛けて支持するようにしたビーム２１の下部に吊垂索２４を介して複数枚の仕切壁片２２を折り畳み可能に連結して構成する。【選択図】図１
2006320790.tif 000002
【特許請求の範囲】
【請求項１】
矩形の汚水処理槽内に着脱可能にして吊垂支持する着脱式仕切壁を、汚水処理槽頂面に引っ掛けて支持するようにしたビーム下部に吊垂索を介して複数枚の仕切壁片を折り畳み可能に連結して構成したことを特徴とする汚水処理槽における仕切壁構造。
【請求項２】
着脱式仕切壁を、複数枚の仕切壁片間を互いに連結具を介して連結するよう構成したことを特徴とする請求項１記載の汚水処理槽における仕切壁構造。
【請求項３】
最下部位置の仕切壁片の下端に懸垂索を介してウェイトを連結したことを特徴とする請求項１又は２記載の汚水処理槽における仕切壁構造。
【発明の詳細な説明】
【技術分野】
【０００１】
本発明は、汚水処理槽における仕切壁構造に関し、特に、小規模下水処理場などにおいて使用されている無仕切壁式汚水処理槽を用い、汚水を高度処理することを目的として該汚水処理槽内に仕切壁を容易に着脱式にて取り付けることができるようにした汚水処理槽おける仕切壁構造に関するものである。
【背景技術】
【０００２】
従来、小規模下水処理場などにおいて汚水を生物処理する場合、図５に示すように、所要の容量を有する矩形をしている簡易な曝気槽、沈殿槽等の無仕切壁式の汚水処理槽を用い、この汚水処理槽の一端側から汚水を流入し、該同一汚水処理槽内を汚水が流下する過程で順次、好気処理と嫌気処理或いは沈砂処理を行うようにしている。
【０００３】
ところで、小規模下水処理場などにて使用されている既設の汚水処理槽１は、内部に仕切壁がなく、該汚水処理槽内で好気処理と嫌気処理の異なる処理を行う場合、同一槽内では好気ゾーンと嫌気ゾーンとが明確に分けることができないので、処理汚水Ｃは好気処理をした汚水と嫌気処理をした汚水とが互いに混ざり合った状態となり、汚水の処理効率が低下するとともに、図５に示すように、汚水処理槽の底部、特に汚水の流入位置に近い槽底部に汚砂Ｓなどの固形分が沈殿堆積するという問題があった。
【０００４】
また、既設の仕切壁のない汚水処理槽を使用して、高度処理を行うには汚水処理槽内に仕切壁を設置する必要があるので、その工事費が嵩むようになり、小規模下水処理場では経済的に難しいという問題をも有していた。
【発明の開示】
【発明が解決しようとする課題】
【０００５】
本発明は、上記従来の小規模下水処理場などの簡易型汚水処理槽の有する問題点に鑑み、既設の仕切壁のない簡易な汚水処理槽においても必要な場合に簡易に仕切壁を着脱自在に設置して好気攪拌と嫌気処理とを区別して処理することで高度処理を処理を効率的に行えるようにした汚水処理槽における仕切壁構造を提供することを目的とする。
【課題を解決するための手段】
【０００６】
上記目的を達成するため、本発明の汚水処理槽における仕切壁構造は、矩形の汚水処理槽内に着脱可能にして吊垂支持する着脱式仕切壁を、汚水処理槽頂面に引っ掛けて支持するようにしたビーム下部に吊垂索を介して複数枚の仕切壁片を折り畳み可能に連結して構成したことを特徴とする。
【０００７】
この場合において、着脱式仕切壁を、複数枚の仕切壁片間を互いに連結具を介して連結するよう構成することができる。
【０００８】
また、最下部位置の仕切壁片の下端に懸垂索を介してウェイトを連結することができる。
【発明の効果】
【０００９】
本発明の汚水処理槽における仕切壁構造によれば、矩形の汚水処理槽内に着脱可能にして吊垂支持する着脱式仕切壁を、汚水処理槽頂面に引っ掛けて支持するようにしたビーム下部に吊垂索を介して複数枚の仕切壁片を折り畳み可能に連結して構成することにより、既設の仕切壁のない汚水処理槽を使用しても仕切壁取り付け工事をすることなく、必要に応じて簡易に仕切壁を設置することができるので、簡易型の汚水処理槽においても高度処理が可能となり、また仕切壁が不要な場合は簡易に取り外すことができる利点がある。
【００１０】
また、着脱式仕切壁を、複数枚の仕切壁片間を互いに連結具を介して連結するよう構成することにより、簡単に折り畳むことができるので、嵩低くして移動或いは保管することが可能となり、さらには汚水処理槽の所定位置にビームを引っ掛けて仕切壁片を垂らすだけで簡易に、迅速に設置することができる。
【００１１】
また、最下部位置の仕切壁片の下端に懸垂索を介してウェイトを連結して構成することにより、汚水処理槽内を着脱式仕切壁にて仕切る場合、該着脱式仕切壁の側面から水圧或いは流速圧を受けても仕切壁片の下端が懸垂索、ウェイトにて固定されているので、着脱式仕切壁が揺れたり、さらにはその設置位置から妄りに移動することを未然に防止することができる。
【発明を実施するための最良の形態】
【００１２】
以下、本発明の汚水処理槽における仕切壁構造の実施の形態を、図面に基づいて説明する。
【実施例１】
【００１３】
図１〜図４に、本発明の汚水処理槽における仕切壁構造を適用した曝気槽の一実施例を示す。
【００１４】
この曝気槽１は、所要の大きさを有する矩形で、しかも無仕切壁式の曝気槽１内を、必要に応じて本発明の着脱式仕切壁２を設置することで、汚水の高度処理に適した好気ゾーンＡと嫌気ゾーンＢとの２室に仕切ることができる。
なお、この好気ゾーンＡと嫌気ゾーンＢの各室の大きさは、曝気槽１に対して着脱式仕切壁２を設置する位置により任意に設定或いは変更することができ、特に限定されるものではないが、図示の実施例では、この好気ゾーンＡ内に曝気装置３を設置している。
【００１５】
矩形の曝気槽１内には、その一端側から供給汚水Ｃ１を供給するようにし、好気ゾーンＡ内にて曝気装置３の駆動により所要の好気処理を施した後、該好気ゾーンＡを経て嫌気ゾーンＢ内に流入し、ここで所要の嫌気処理を施した処理汚水Ｃとした後、この処理水を曝気槽１外へ排出するようにする。
この場合、好気ゾーンＡ内の供給汚水Ｃ１の曝気処理時間は流入する供給汚水量、性質等により適宜設定され、曝気装置３にて所要の攪拌も行われるので、固形の汚泥物質も槽底に沈殿、さらには堆積することを防止することができる。
なお、この場合、汚水の処理方法によっては、これに凝集剤等を供給して曝気装置にて攪拌することもある。
【００１６】
着脱式仕切壁２は、図１〜図４に示すように、曝気槽１の対向する槽璧頂面に掛止され、曝気槽１を横切るようにして配設するに必要な長さを有するビーム２１と、このビーム２１の下面に吊垂するようにして配設した複数本の吊垂索２４、２４と、この吊垂索２４にて吊垂するようにし、かつリング状の連結具２３を介して互いに折り畳み可能に連結するようにした複数枚の仕切壁片２２と、最下段の仕切壁片２２の下部位置に懸垂索２５を介して取り付けたウェイト２６とより構成する。
これにより、曝気槽１にほぼ垂直になるようにして設置した着脱式仕切壁２の下部位置をウェイト２６により懸垂するよう固定されているので、側面から受ける水圧や流水圧に対しても揺れ動いたり、設置位置が妄りに移動するのを防止することができる。
なお、曝気槽１の深さに応じて仕切壁片２２の連結枚数を変更したり、吊垂索２４や懸垂索２５の長さの調節にて相応しい縦方向の長さを定める。
【００１７】
また、曝気槽１内が着脱式仕切壁２にて仕切られた好気ゾーンＡから嫌気ゾーンＢ内への供給汚水Ｃ１の流入は、特に限定されるものではないが、例えば、互いに折り畳み可能に連結するようにした複数枚の仕切壁片２２間の隙間から行うことも、また図示の実施例のように、最下段の仕切壁片２２に切欠を設けて、該切欠を経て流入するようにすることもできる。
【００１８】
次に、この汚水処理槽における仕切壁構造の作用について説明する。
無仕切壁式の曝気槽１内に着脱式仕切壁２を設置して槽内を好気ゾーン室と嫌気ゾーン室に仕切る場合、折り畳んだ状態で曝気槽１上方の所定位置まで搬入し、次にビーム２１の両端部を対向する曝気槽の槽壁間に掛け渡すようにして支持するとともに、この下方に折り畳まれた複数枚の仕切壁片２２を吊り降ろすようにすると、各仕切壁片２２はリング状の連結具２３よりその自重によって自然と広がりほぼ垂直に垂れ下がるようになる。そして、各ウェイト２６を槽底に接するようにする。
この場合、槽の深度に合わせて複数枚の仕切壁片２２がほぼ垂直に垂れ下がるよう、図２に示すように、上下の吊垂索２４及び／又は懸垂索２５の長さを調整する。
【００１９】
このように、汚水を高度処理する場合、必要に応じて曝気槽内に着脱式仕切壁２を設置するようにする。
この曝気槽１の一端側に配設した流入口から供給汚水Ｃ１が流入すると、この供給汚水Ｃ１は、まず曝気槽１の着脱式仕切壁２にて仕切られた好気ゾーンＡ内に流入する。ここでは曝気装置３が設置されているので、供給汚水Ｃ１は攪拌されると共に曝気され、好気処理が行われる。
所定の好気処理が行われると共に好気処理中に或いは好気処理された供給汚水Ｃ１は、着脱式仕切壁２の隙間、或いは切欠を経て次に嫌気ゾーンＢ内へ流入し、所定時間無攪拌で静止させることで嫌気処理が行われ、これにより汚水の消化と脱窒とが行われ、処理汚水Ｃとなる。
【００２０】
以上、本発明の汚水処理槽における仕切壁構造について、実施例に基づいて説明したが、本発明は上記実施例に記載した構成に限定されるものではなく、その趣旨を逸脱しない範囲において適宜その構成を変更することができるものである。
【産業上の利用可能性】
【００２１】
本発明の汚水処理槽における仕切壁構造は、矩形で無仕切壁式の曝気槽内に、必要に応じて着脱式仕切壁を設置することで、好気ゾーン室と嫌気ゾーン室とに仕切るという特性を有していることから、無仕切壁式の簡易型汚水処理槽を高度処理用として使用する用途に好適に用いることができるほか、例えば、槽内を２室に仕切るようにした各種槽の仕切壁の用途にも用いることができる。
【図面の簡単な説明】
【００２２】
【図１】本発明の汚水処理槽における仕切壁構造を適用した曝気槽の一実施例を示す縦断面図である。
【図２】外観斜視図である。
【図３】仕切壁の外観斜視図である。
【図４】折り畳んだ状態の外観斜視図である。
【図５】従来の簡易型汚水処理槽の縦断面図である。
【符号の説明】
【００２３】
１    曝気槽（汚水処理槽）
２    着脱式仕切壁
２１  ビーム
２２  仕切壁片
２３  連結具
２４  吊垂索
２５  懸垂索
２６  ウェイト
３    曝気装置
Ａ    好気ゾーン
Ｂ    嫌気ゾーン
Ｃ    供給汚水
Ｃ１  処理汚水
【図１】
2006320790.tif 000003
【図２】
2006320790.tif 000004
【図３】
2006320790.tif 000005
【図４】
2006320790.tif 000006
【図５】
2006320790.tif 000007